(57)【要約】      （修正有）【課題】薄型表示装置は小型軽量化やワイヤレス化により自由に移動することが可能であるが、従来のスタンド式表示装置の場合は、安定性を重点に考えられており、頻繁に移動させることが不便であることや、電源コードの接続は外観の面でも好ましくなく、コードの長さにより移動距離が制限されまた、表示装置の画面サイズが比較的大きい場合、スタンドを移動させる際に転倒させてしまう危険性が有るなどの課題も有している。【解決手段】本発明のスタンド式表示装置は、スタンドの下端のスタンド基部に表示装置駆動のためのバッテリーを収納する収納部を有し、更にスタンド部に無線伝送の装置を取付け可能とすることで、スタンド式表示装置を安定して自由に移動可能とすると共に、電源やアンテナなどの配線を不用、又は極力減少させることを可能とし、スタンド基部にキャスターを設けることで更に移動を容易とするものである。【選択図】  図１
2004229051.tif 000002
【特許請求の範囲】
【請求項１】
薄型表示部を有する本体部と該本体部を支持するためのス  タンド部を有するスタンド式薄型テレビであって、前記スタンド部はスタン  ド支柱と、前記スタンド支柱の上部に設けられた前記本体部を取り付けるた  めの本体取付け部と、前記スタンド支柱の下部に設けられたスタンド基部か  らなり、前記スタンド基部には前記本体部駆動のためのバッテリーを収納す  る収納部を有したことを特徴とするスタンド式薄型テレビ。
【請求項２】
前記収納部は、バッテリーの最も広い面が前記基部の底面  に面して配置されるようにバッテリーを収納することを特徴とする請求項１  に記載のスタンド式薄型テレビ。
【請求項３】
前記本体取付け部と前記スタンド支柱との間で角度調整可  能なことを特徴とする請求項１又は請求項２に記載のスタンド式薄型テレビ  。
【請求項４】
前記本体取付け部には持ち運び時や角度調整時に把持する  ためのグリップが設けられていることを特徴とする請求項３に記載のスタン  ド式薄型テレビ。
【請求項５】
前記本体部の信号入出力用の無線伝送装置の取付け部を有  することを特徴とする、請求項１乃至請求項４のいずれか１項に記載のスタ  ンド式薄型テレビ。
【請求項６】
前記薄型表示部は、液晶パネル又はプラズマディスプレイ  パネルを有することを特徴とする、請求項１乃至請求項５のいずれか１項に  記載のスタンド式薄型テレビ。
【発明の詳細な説明】
【０００１】
【発明の属する技術分野】
本発明は、液晶パネルやプラズマディスプレイ（以下ＰＤＰ）などよりな  る薄型表示部を有するスタンド式薄型テレビに関するものである。
【０００２】
【従来の技術】
従来より、小型液晶テレビは携帯用や車載用などの市場を中心にして広く  ユーザーに支持されてきた。最近では液晶パネルやＰＤＰなどの大型化によ  り、これら薄型軽量のディスプレイパネルを有するテレビが従来のブラウン  管テレビに置き換わる勢いで技術開発や商品開発が盛んに行われてきている  。
【０００３】
これらの装置は薄型軽量のため、表示装置を保持するスタンドにおいても  小型軽量化や、スリム化や、インテリアとしてのデザインなどいろいろな提  案がなされつつある。更に、近年無線通信により信号を受信するシステムも  開発され、アンテナケーブルを接続せずにテレビを視聴できる環境が整いつ  つあり、設置場所に規制されなく自由に移動できるという利点もある。これ  らの要求に対し従来の液晶テレビ用スタンドとして、特許文献１などが提案  されている。
【０００４】
特許文献１に開示された技術に関し、図９と共に説明する。図９は液晶テ  レビ用のフロアースタンドの正面図である。
【０００５】
図９においては、フロアースタンドＢは支柱３０と載置支持台３３が一体化  され構成されており、電源コード３１とアンテナケーブル３２はスタンドＢ  の支柱３０の内部を通し、支柱３０上部の載置支持台３３に設置されたモジ  ュラージャック３４に接続されている。
【０００６】
液晶テレビＡ下部にはモジュラーコネクタ３５が設けられており、載置支  持台３３に液晶テレビＡを載置する際に載置支持台３３上のモジュラージャ  ック３４と接続される。ユーザーは設置される部屋の電源コンセントとアン  テナ端子に電源コード３１とアンテナケーブル３２をそれぞれ接続し液晶テ  レビを視聴することになる。
【０００７】
【特許文献１】
実開平５−２４８６
【０００８】
【発明が解決しようとする課題】
薄型テレビは従来のブラウン管テレビに比べて重量が軽く設置面積が小さ  くて済み自由に移動できるという利点を有するが、図９の様にスタンドのサ  イズに対して液晶テレビのサイズが比較的大きい場合、スタンドを移動させ  る際に転倒させてしまう危険性が有るなどの課題を有している。
【０００９】
また、頻繁に移動させることが不便であることや、無線伝送システムを採  用してアンテナケーブルを不要にしたとしても電源コードの接続は必要であ  る。電源コードの接続は外観の面でも好ましくなく、また電源コードが絡ま  るなどして移動の妨げになったり、コンセントの位置や電源コードの長さに  より移動距離が制限されると言う課題を有している。
【００１０】
本発明はこのような従来の課題を解決したものであって、電源やアンテナ  などの配線を不用、又は極力減少させることで、薄型テレビを自由に移動で  き、かつ転倒防止を考慮し、安全に移動できる技術を提供するものである。
【００１１】
【課題を解決するための手段】
上記の課題を解決するため、本発明においては、薄型表示部を有する本体  部と該本体部を支持するためのスタンド部を有するスタンド式薄型テレビで  あって、前記スタンド部はスタンド支柱と、前記スタンド支柱の上部に設け  られた前記本体部を取り付けるための本体取付け部と、前記スタンド支柱の  下部に設けられたスタンド基部からなり、前記スタンド基部には前記本体部  駆動のためのバッテリーを収納する収納部を有したことを特徴とする。
【００１２】
また本発明においては、前記記載の発明において、前記収納部は、バッテ  リーの最も広い面が前記基部の底面に面して配置されるようにバッテリーを  収納することを特徴とする。
【００１３】
また本発明においては、前記記載の発明において、前記本体取付け部と前  記スタンド支柱との間で角度調整可能なことを特徴とする。
【００１４】
また本発明においては、前記記載の発明において、前記本体取付け部には  持ち運び時や角度調整時に把持するためのグリップが設けられていることを  特徴とする。
【００１５】
また本発明においては、前記記載の発明において、前記本体部の信号入出  力用の無線伝送装置の取付け部を有することを特徴とする。
【００１６】
さらに本発明においては、前記記載の発明において、前記薄型表示部は、  液晶パネル又はプラズマディスプレイパネルを有することを特徴とする。
【００１７】
【発明の実施の形態】
以下、本発明に係る液晶テレビのスタンドへの実施形態について、図１乃  至図８と共に説明する。尚、従来例との同一部分には同一符号を付し、説明  は省略する。
【００１８】
第１の実施形態として、図１乃至図６と共に説明する。図１はフロアース  タンドＣに液晶テレビＡがセットされている状態の斜視図である。図２はフ  ロアースタンドＣ下部の正面図である。図３はフロアースタンドＣに液晶テ  レビがセットされている状態の背面図である。
【００１９】
フロアースタンドＣは支柱１と支柱１の上部に設けられたテレビ固定部５  と支柱１の下部に設けられた脚部３により構成されている。支柱１は脚部３  の略中央部に立設され、脚部３は先端にキャスター２を有し４方に突出する  脚３ａを有し、脚部３裏面にはバッテリー４ａを収納し充電可能なバッテリ  ーボックス４が設けられている。
【００２０】
支柱１は、締め具１ｂを緩めることで伸縮自在となり、高さ調整が可能で  ある。液晶テレビＡの裏面からの電源コード６は、バッテリーボックス４の  電源ソケットと接続される。キャスター２の高さはバッテリー４ａの厚さよ  りも高くなっており、移動の際に底ズレが起きないようになっている。
【００２１】
テレビ固定部５の上方には液晶テレビＡを移動したり、液晶テレビＡの表  示面の角度調整時の握り用にグリップ部５ａが形成され、テレビ固定部５の  下方は支柱１のＴ字状端部１ｄ（後述図６）との間で角度調整機構を構成す  るためのカール部５ｂが設けられている。又、テレビ固定部５の中央部は液  晶テレビＡがビス締めなどで固定される部分で、液晶テレビＡ側の固定部の  形状とほぼ一致した面で加工されている。
【００２２】
１７は無線伝送装置で、テレビ固定部５に液晶テレビＡとは反対の面に固  定されている。尚、無線伝送装置１７は液晶テレビＡに固定した上でテレビ  固定部５に固定したり、テレビ固定部５上に液晶テレビＡと共締めで固定す  ることも可能である。
【００２３】
図４は支柱１伸縮部近傍の断面図である。支柱１伸縮部では、大径支柱部  １ａの内径部に小径支柱部１ｃの外径部が自由に出入り可能な構造となって  おり、締め具１ｂ内径と大径支柱部１ａの外径部はネジ構造となっている。
【００２４】
大径支柱部１ａの脚部３側の先端には締め具１ｂの内径より徐々に大きく  なる勾配が付いており、締め具１ｂを大径支柱部１ａの先端方向に締め付け  る事により大径支柱部１ａの先端が小径支柱部１ｃを締め付ける構造となり  、大径支柱部１ａと小径支柱部１ｃが締め付け固定されることになる。これ  により、大径支柱部１ａと小径支柱部１ｃが伸縮可能となり、締め具１ｂで  任意の長さで固定出きる構造となる。
【００２５】
図５は本実施形態のスタンドにおけるバッテリーボックス４の回路ブロッ  ク図である。
【００２６】
バッテリーボックス４はバッテリー駆動又はＡＣ駆動を切換えるスイッチ  ２１と、バッテリー充電部２３と、ＡＣプラグ２５とＡＣ分配部２４とＡＣ  接続検出部２２とスイッチ制御部２０からなり、スイッチ制御部２０はＡＣ  接続検出部２２からの信号に基づき、ＡＣ入力が有る場合にはスイッチ２１  をＡＣ側に、ＡＣ入力が無い場合にはスイッチ２１をバッテリー充電部２３  側に切換える。液晶テレビＡの電源コード６先端部の電源プラグ６ａはソケ  ット４ｂに接続される。
【００２７】
図６はグリップ部５ａと支柱１とのよる角度調整機構の側面図である。
【００２８】
テレビ固定部５の下方は支柱１のＴ字状端部１ｄとの間で角度調整機構を  構成するためのカール部５ｂが設けられている。カール部５ｂはバネ性を持  ってＴ字状端部１ｄを把持しており、カール部５ｂには凸部５ｃが設けられ  、Ｔ字状端部１ｄには複数の凹部１ｅが設けられ、該凸部５ｃと該凹部１ｅ  が嵌合する位置に配置されていることで、ユーザーがグリップ部５ａを握り  液晶テレビＡ画面と直交する方向に前後させることでカール部５ｂもＴ字状  端部１ｄの外周を摺動回転し、所定の角度にて凸部５ｃと凹部１ｅが勘合す  ることで、角度が設定されることになる。
【００２９】
図１乃至図６と共にユーザーが液晶テレビＡをフロアースタンドＢに固定  する手順とフロアースタンドＢの移動などの取扱いに関し説明する。
【００３０】
ユーザーは脚部３裏面のバッテリーボックス４に充電済みのバッテリー４  ａを装着する。尚、設置場所の近くにＡＣコンセントがある場合は、ＡＣプ  ラグ２５を接続しバッテリー４ａを充電することも可能であり、液晶テレビ  ＡのＡＣ駆動も可能となる。
【００３１】
次に液晶テレビＡをテレビ固定部５に図示しない複数のビスで固定し、更  に無線伝送装置１７を図示しない複数のビスでテレビ固定部５に固定した後  、液晶テレビＡと無線伝送装置１７の結線を行う。そして、液晶テレビＡ裏  面からの電源ケーブル６を電源ソケット４ｂに接続することで、フロアース  タンド１への搭載が終了する。
【００３２】
ユーザーはキャスター２を利用して視聴する部屋に移動し、部屋内の設置  位置で図示しないキャスターロックなど行い設置位置決定し、締め具１ｂと  グリップ部５ａによる高さ調整と角度調整によりユーザーの視聴位置との間  で最適な状態を選択し固定する。ユーザーは図示しないリモコン装置にて液  晶テレビＡの電源をオンし、所望のチャンネルと音量などの選択で視聴する  こととなる。
【００３３】
このように本発明のフロアースタンドＣは、バッテリー４ａをスタンド部  Ｃの最下部に設置し、移動自在のキャスター２を有し、更に伸縮自在の支柱  １と液晶テレビＡの角度調整機能を有する事を特徴とするものであり、バッ  テリー４ａの保持方法や伸縮機構や角度調整機構や脚３ａの本数や形状など  は実施形態で説明した方法や形状のみに限定されるものではない。
【００３４】
更に液晶テレビＡ固定部５の近傍には無線伝送装置１７を取付け可能とし  ており、アンテナケーブルレスの対応も可能としている。尚、電源ケーブル  ６は支柱１内を通過させることでよりスマートなフロアースタンドＣとする  ことも可能である。
【００３５】
第２の実施形態として、図７、８と共に説明する。
【００３６】
図７はテーブルスタンドに液晶テレビＡがセットされている状態の斜視図  で、（ａ）はＡＣコード１０がスタンドベース１２から出るタイプのテーブ  ルスタンドで、（ｂ）はＡＣコード１０が液晶テレビＡ裏面下部から出るタ  イプのテーブルスタンドで、（ｃ）は（ａ）タイプのテーブルスタンドのス  タンドベース１２の一部を切り欠いて内部を示す側面図である。
【００３７】
図７において、テーブルスタンドは支柱９とスタンドベース１２とスタン  ド回転部８とグリップ部７で構成され、支柱９の下端とスタンドベース１２  はビスなどで固定され、支柱９の上方端とグリップ部７はスタンド回転部８  で回動可能に固定されている。またグリップ部７のスタンド回転部８に位置  する部分は平坦部を有する。
【００３８】
支柱９はスタンドベース１２に立設され、スタンドベース１２内底面には  バッテリーアダプタ１３が設けられ、バッテリー１４がバッテリーアダプタ  １３に着脱自在に配されている。液晶テレビＡの裏面からの電源コード６は  、液晶テレビ取付け部７ｂに設けられたソケット７ａと接続される。
【００３９】
図８はテーブルスタンドにおけるバッテリーアダプタ１３の回路ブロック  図である。
【００４０】
バッテリーアダプタ１３はバッテリー駆動又はＡＣ駆動を切換えるスイッ  チ１３ａと、バッテリー充電部１３ｃと、ＡＣプラグ１１とＡＣコード１０  とＡＣ接続検出部１３ｂとスイッチ制御部１３ｄと出力線１３ｅとからなり  、スイッチ制御部１３ｄはＡＣ接続検出部１３ｂからの信号に基づき、ＡＣ  入力が有る場合にはスイッチ１３ａをＡＣ側に、ＡＣ入力が無い場合にはス  イッチ１３ａをバッテリー充電部１３ｃ側に切換える。
【００４１】
図７、図８と共にユーザーの取扱いに関し説明する。
【００４２】
ユーザーはスタンドベース１２内底面のバッテリーアダプタ１３にバッテ  リー１４を装着する。設置場所の近くのＡＣコンセントにＡＣプラグ１１を  接続する。ＡＣプラグ１１をＡＣコンセントに接続することでバッテリー１  ４の充電状態に応じ所定の充電動作が開始される。
【００４３】
ユーザーは図示しないリモコン装置にて液晶テレビＡの電源をオンし、所  望のチャンネルと音量などの選択で視聴することとなる。画面角度の調整は  グリップ部７を握り液晶テレビＡ画面と直交する方向に前後させることでス  タンド回転部８を回転軸として角度が調整されることになる。
【００４４】
ＡＣプラグ１１をＡＣコンセントに接続した場合はＡＣ接続検出部１３ｂ  がＡＣ入力を検出するため、液晶テレビＡ駆動はＡＣ駆動となる。
【００４５】
次にユーザーが例えばベランダのようにＡＣコンセントの無い場所で視聴  しようとする場合、ＡＣプラグ１１を抜いてベランダへ持ち出すことになる  。
【００４６】
ベランダに設置しユーザーが図示しないリモコン装置にて液晶テレビＡの  電源をオンした場合、ＡＣ接続検出部１３ｂはＡＣ入力を検出しないため、  スイッチ１３ａはバッテリー充電部出力側に切換わり、液晶テレビＡはバッ  テリー駆動となる。但し、スイッチ１３ａが通常時はバッテリー充電部出力  側に接続され、ＡＣコードが接続されたのを検出してＡＣ入力へ切換える方  式であれば、上述のような電源入力後のスイッチ１３ａの切換りステップは  不要である。
【００４７】
このようにバッテリー１４を内蔵することで、場所を選ばずテレビ視聴が  可能となる。
【００４８】
テーブルスタンドにおいても第１の実施形態で説明したように無線伝送装  置１７の搭載も可能であり、アンテナ電波入力の悪い場所での視聴や、ＤＶ  Ｄなどの映像を無線伝送で視聴することも可能になる。
【００４９】
以上、フロアースタンドとテーブルスタンドを実施例としてバッテリー内  蔵スタンドの説明を行ったが、本発明はバッテリー４ａ、１４を薄型表示装  置用スタンドの最下部に搭載し薄型表示装置を安定して保持するとともに、  バッテリー内蔵によるケーブルレスによる美観と場所を選ばない使い勝手の  向上をもたらす発明であり、例えばバッテリー４ａ、１４が矩形形状をして  いる場合は面積の広い面を脚部３やスタンドベース１２の底面と平行におく  ことでより安定した保持が可能となる。
【００５０】
【発明の効果】
本発明によれば、スタンド部に電源供給用のバッテリーを搭載しているの  で、このバッテリーから液晶テレビ本体に電源を供給することができ、電源  コードが移動の妨げになることや外観の悪化を防ぐことが可能となる。
【００５１】
また、表示装置の電源供給用のバッテリーがスタンド部の底面部に配置さ  れているので、スタンドの重心を低く保つことができ、転倒する危険性が低  くなり、安全に移動させることが可能となる。
【００５２】
また、表示装置の高さ調整や角度調整が可能であり、快適な視聴を可能と  するとともに、把持部を有することで表示装置の移動も容易となる。
【００５３】
さらに、無線伝送装置が搭載可能であり、電源コードだけでなくアンテナ  ケーブルも不要となり、外部との配線が全く無くなるので外観もすっきりし  、またスタンドの移動も制限無く自由にすることが可能となる。
【図面の簡単な説明】
【図１】本発明による第１の実施形態のスタンド式表示装置斜視図。
【図２】本発明による第１の実施形態のフロアースタンド正面図。
【図３】本発明による第１の実施形態のスタンド式表示装置背面図。
【図４】本発明による第１の実施形態の支柱伸縮部近傍断面図。
【図５】本発明による第１の実施形態のバッテリーボックス回路ブロック図。
【図６】本発明による第１の実施形態の角度調整部側面図。
【図７】本発明による第２の実施形態のスタンド式表示装置側面図。
【図８】本発明による第２の実施形態のバッテリーボックス回路ブロック図。
【図９】従来のスタンド式表示装置の正面図である。
【符号の説明】
Ａ    液晶テレビ
Ｂ    スタンド
Ｃ    スタンド
１    支柱
２    キャスター
３    脚部
４    バッテリーボックス
５    テレビ固定部
６    電源コード
７    グリップ部
８    スタンド回転部
９    支柱
１０  ＡＣコード
１１  ＡＣプラグ
１２  スタンドベース
１３  バッテリーアダプター
１４  バッテリー
【図１】
2004229051.tif 000003
【図２】
2004229051.tif 000004
【図３】
2004229051.tif 000005
【図４】
2004229051.tif 000006
【図５】
2004229051.tif 000007
【図６】
2004229051.tif 000008
【図７】
2004229051.tif 000009
【図８】
2004229051.tif 000010
【図９】
2004229051.tif 000011